(57)【要約】【課題】簡便な綴付けにおいて綴付け針先も遮蔽される外側折り目部から内側に向かって綴付けられた印刷製品の製造方法を提供する。【解決手段】サドル形状の搬送路の所定の搬送部分（１１）を馬乗り状に搬送されその後綴付けられる、外側折り目部が予め成形された針金によって綴付けられた少なくとも１つの印刷物（８）から形成される印刷製品（２６）の製造方法であり、綴付けられた印刷物（８）の内側折り目部と１枚の印刷紙（１７）の外側折り目部とを接着によって接合する。【選択図】図１
2004351924.tif 000002
【特許請求の範囲】
【請求項１】
サドル形状の搬送路の所定の搬送部分（１１）を馬乗り状に搬送されその後綴付けられる、外側折り目部が予め成形された針金によって綴付けられた少なくとも１つの印刷物（８）から形成される印刷製品（２６）の製造方法であり、綴付けられた印刷物（８）の内側折り目部と１枚の印刷紙（１７）の外側折り目部とを接着によって接合することを特徴とする方法。
【請求項２】
印刷物（８）と印刷紙（１７）とは搬送路の後続する搬送部分（１６）で合わせられることを特徴とする請求項１記載の方法。
【請求項３】
綴付けられた印刷物（８）は印刷紙（１７）と合わせられる途中で内側折り目が糊付けされることを特徴とする請求項１または２記載の方法。
【請求項４】
印刷紙（１７）は綴付けられた印刷物（８）と合わせられる途中で外側折り目が糊付けされることを特徴とする請求項１または２記載の方法。
【請求項５】
後続する搬送路の搬送部分において結合された印刷物（８）と印刷紙（１７）の外側折り目部にカバー紙（２７）を付加することを特徴とする請求項１ないし４のいずれかに開の方法。
【請求項６】
結合された印刷物（８）と印刷紙（１７）の外側折り目部および／またはカバー紙（２７）の内側折り目部が貼り合わされる前に糊付けされることを特徴とする請求項５記載の方法。
【請求項７】
印刷物（８）は印刷紙（１７）と結合するために開いて搬送するかまたは移行部分で開くことを特徴とする請求項１ないし６のいずれかに記載の方法。
【請求項８】
サドル形状の支台を有しその上で印刷紙が綴付けられて印刷物（８）が形成されその後取り出される搬送路の第１の搬送部分（１１）からなる、外側折り目部が綴付けられた少なくとも１つの印刷物（８）から形成される印刷製品（２６）の製造装置において、綴付けられた印刷物（８）が周回している中間搬送装置（１３）によって搬送路の第１の搬送部分（１１）から取り出されて開いた状態でサドル形状の支台を有するこの搬送路の後続する後続の搬送部分（１６）上を搬送される印刷紙（１７）上に載せられることを特徴とする装置。
【請求項９】
搬送路の後続の搬送部分（１６）の延長部分（２２）上に印刷紙（１７）の外側折り目部に糊付けを行うための糊付け装置（２４）を搬送方向に見て綴付けられた印刷物（８）の送出部分の手前に設けることを特徴とする請求項８記載の装置。
【請求項１０】
糊付け装置（２４）の手前に印刷紙（１７）の給紙装置（２３）が設けられることを特徴とする請求項９記載の装置。
【請求項１１】
印刷紙（１７）の給紙装置（２３）は折り給紙装置として構成されることを特徴とする請求項１０記載の装置。
【請求項１２】
中間搬送装置（１３）は周回状の牽引手段（１４）上に所定間隔をもって配置された開きおよび閉じ位置制御することができる把持器具（１５）を有するクロック制御搬送装置として形成され、搬送路の第１の搬送部分（１１）の取り出し箇所と搬送路の後続の搬送部分（１６）の搬入箇所とが搬送を行えるように結合されることを特徴とする請求項８ないし１１のいずれかに記載の装置。
【請求項１３】
中間搬送装置（１３）は第１の搬送部分（１１）の印刷物（８）の受容位置から上昇する部分（１９）と印刷物（８）の送出部分に向かって下降する部分とを有することを特徴とする請求項１２記載の装置。
【請求項１４】
中間搬送装置（１３）の下降部分には後続の搬送部分（１６）と略平行して延在している送出部分が接続していることを特徴とする請求項１３記載の装置。
【請求項１５】
少なくとも中間搬送装置（１３）とならびに搬送路の後続の搬送部分（１６）とがそれぞれ回転角度制御モータと駆動結合されることを特徴とする請求項１２記載の装置。
【請求項１６】
印刷紙（１７）を貼り紙として形成する、印刷製品（２６）を製造するための請求項１ないし７のいずれかに記載の方法の適用法。
【発明の詳細な説明】
【技術分野】
【０００１】
この発明は、サドル形状の搬送路の所定の搬送部分を馬乗り状に搬送されその後綴付けられる、内側または外側折り目を綴付けられた印刷物からなる印刷製品の製造方法に関する。この方式、特に綴付け針による人体の損傷を防止する目的に関するものである。
【背景技術】
【０００２】
米国特許第５６７８８１３号明細書（特許文献１）には、綴付け針が内側折り目部から外側に向かって貫通する、印刷物から印刷製品を製造する方法が開示されている。外側折り目部から突起している綴付け針先部は貼り付けられたカバー紙によって遮蔽される。
【０００３】
別の方式においては、外側から内側へ綴付けられた印刷物が内側から外側へ綴付けられた後、折り目部で接着され印刷製品が形成され、それによって針先部が遮蔽される。
【０００４】
内側から外側へ綴付けられた印刷物の外側折り目部に接着されたカバー紙は怪我防止機能を提供するものであるが、これは印刷製品を使用している間に大きく消耗し一定期間が経過すると折り目部から剥がれて防止機能を満たさなくなる。
【０００５】
【特許文献１】米国特許第５６７８８１３号明細書
【発明の開示】
【発明が解決しようとする課題】
【０００６】
従って、本発明の目的は、簡便な綴付けにおいて綴付け針先も遮蔽される外側折り目部から内側に向かって綴付けられた印刷製品の製造方法を提供することである。
【課題を解決するための手段】
【０００７】
前記の課題は、綴付けられた印刷物の内側折り目部と１枚の印刷紙の外側折り目部とを接着によって接合することによって解決され、これによって怪我を防止することができる。
【０００８】
この印刷物と印刷紙とは後続する搬送路の搬送部分で合わせられることが好適であり、従って印刷物と印刷紙とを同期して統合し連続的に処理することが可能になる。
【０００９】
綴付けられた印刷物と統合される前に印刷紙の外側折り目に例えばこの印刷紙の搬送動作を利用して糊付けを行うことが好適である。
【００１０】
これに代えて、綴付けられた印刷物を印刷紙と統合するために搬送する途中で糊付けすることができる。
【００１１】
後続する搬送路の搬送部分において統合された印刷物と印刷紙の外側折り目部にカバー紙を付加し得ることは可能であることは勿論であり、これは統合された印刷物と印刷紙の共通の外側折り目部に例えば接着によって付加することができる。
【００１２】
印刷物は印刷紙と統合するために搬送路の第１の搬送部分において開いて搬送するかまたは移行部分で開くことが好適であり、それによって円滑かつ正確に印刷紙上に載せることができる。
【００１３】
サドル形状の支台を有しその上で印刷紙が綴付けられて印刷物が形成されその後取り出される搬送路の第１の搬送部分からなる、少なくとも１つの外側折り目部が綴付けられた印刷物から形成される印刷製品の製造装置において、綴付けられた印刷物が周回している中間搬送装置によって搬送路の第１の搬送部分から取り出されて開いた状態でこの搬送路のサドル形状の支台を有する後続する後続の搬送部分上を搬送される印刷紙上に載せられる。
【００１４】
前記の搬送路の後続の搬送部分上に印刷紙の外側折り目部に糊付けを行うための糊付け装置を搬送方向において印刷物との統合部分の手前に設けることが好適であり、これによって印刷紙の搬送動作を糊の塗布に利用することができる。
【００１５】
糊付け装置の手前に印刷紙の紙送り装置、例えば折り装置を設けることが好適である。
【００１６】
中間搬送装置は周回状の牽引手段上に所定間隔をもって配置された開きおよび閉じ位置制御することができる把持器具を有するクロック制御搬送装置として形成することが好適であり、搬送路の第１の搬送部分の取り出し箇所と搬送路の後続の搬送部分の搬入箇所とを結合し、これによって簡便な動作が可能となる。
【００１７】
中間搬送装置と搬送路の後続の搬送部分の駆動用として回転角度制御モータが特に適している。
【００１８】
印刷紙は跡を残すことなく印刷製品または印刷物から除去することができる貼り紙として形成することが好適である。
【実施例】
【００１９】
次に、本発明の実施例につき、添付図面を参照しながら説明する。図中には詳細な説明を省略した構成部分を示されている。
【００２０】
図１には外側折り目部から内側へ綴付けられた印刷物からなる印刷製品を製造するための装置が示されており、ここで矢印Ｆが作業方向を示している。作業は丁合機１から開始され、これは搬送路の第１の搬送部分１１上に給紙装置２，３を備えており、印刷紙４，５を一定間隔でキャッチ７が取り付けられた周回する丁合チェーン６上に馬乗り状に供給する。これは丁合された印刷紙４，５を印刷物として綴付けステーション９に搬送し、ここで印刷物８の外側折り目部１０が内側に向かって針金によって綴付けられる。第１の搬送部分１１は一般的な丁合綴付け機として動作することができ、綴付けられた印刷物８を丁合チェーン６から持ち上げる送出し部１２が設けられている。送出し部は、例えば印刷物を持ち上げて折り機内に把持することによって印刷物８を取り出すように機能する。本発明の実施例において、綴付けられた印刷物８は第１の搬送部分１１の末端で中間搬送装置１３によって受容される。これは、例えば周回状の牽引手段１４上に所定間隔をもって配置された開きおよび閉じ位置制御することができる把持器具１５を有するクロック制御搬送装置として形成することができる。これは、丁合チェーン６から持ち上げられた後の綴付けられた印刷物８を把持しこれを後続の搬送部分１６に対して矢印Ｆ′の方向に搬送する。これもサドル形状の支台を備えており、送出ステーションに到達した後の綴付けられた印刷物８がその上に載せられ、そこには既に供給されている印刷紙１７が存在しておりこれが印刷物８と着合される。搬送部分１１から取り出された印刷物８はレール１８上で開いた状態に保持され後続の搬送部分１６に搬送されるか、または搬送部分１６に到達する前に開き装置（図示されていない）によって開くことができる。中間搬送装置１３は、第１の搬送部分１１の印刷物８の受容位置から上昇する部分１９と印刷物８の送出部分に向かって下降する部分２０とを有している。
【００２１】
中間搬送装置１３の下降部分２０には後続の搬送部分１６と略平行して延在している送出部分２１が接続している。把持器具１５の開閉は既知の方式によって機械式または電気機械式に行われる。
【００２２】
印刷紙１７の給紙は、後続の搬送部分１６の手前に設けられた延長部２２上で実施される。このため、このため、図示された実施例においては（既知の）給紙装置または折り給紙装置２３を備えており、これが延長部２２に印刷紙１７を搬入する。この印刷紙は糊付けステーション２４を馬乗り状に通過し、これは印刷紙１７が送出部分に到達する前に印刷紙１７の外側折り目部１０上に糊付けし、続いて送出部分において印刷物８が印刷紙１７上に載せ合わされる。後続の工程において、サドル形状の搬送路の圧接ステーション２５内で印刷物８が印刷紙１７に圧接される。形成された印刷製品２６は後続の搬送路中において外側折り目部が再度糊付けされカバー紙２７が貼り付けられる。第１のものと同様に、後続の搬送部分１６も図示された実施例において独立した丁合綴付け機として構成することができ、これら両方をいわゆるタンデム原理に従って使用することができる。
【００２３】
他方、搬送部分１１，１６は連続する丁合チェーン２８として結合することもできる。
【図面の簡単な説明】
【００２４】
【図１】本発明に係る装置の動作原理を示す構成図である。
【符号の説明】
【００２５】
１  丁合綴付け機
２，３  給紙装置
４，５，１７  印刷紙
６  丁合チェーン
７  キャッチ
８  印刷物
９  綴付けステーション
１０  外側折り目部
１１，１６  搬送部分
１２  送出し部
１３  中間搬送装置
１４  牽引手段
１５  把持器具
１８  レール
１９，２０  部分
２１  送出部
２２  延長部
２３  折り給紙装置
２４  糊付けステーション
２５  圧接ステーション
２６  印刷製品
２７  カバー紙
【図１】
2004351924.tif 000003